(57)【特許請求の範囲】
【請求項１】
第１のヨークと、
前記第１のヨークに所定の間隔をもって対向する第２のヨークと、
前記第１のヨークと前記第２のヨークとの間に移動可能に巻かれたコイルと、
前記第１のヨークに取りつけられることで前記コイルに磁界を加える永久磁石と、
前記永久磁石が入る孔が形成された筐体と、
前記筐体の内部に配置されたディスクと、
前記ディスクに対して情報の記録再生を行う磁気ヘッドと、
前記磁気ヘッドと前記コイルとが装着されたアクチュエータと、
電気部品が装着されたプリントサーキットボードとを備え、
前記第１のヨークが、前記筐体の外壁の一部を構成しており、前記永久磁石の中央部に相当する部分である第１の部分と、前記第１の部分以外の部分である第２の部分とを有しており、
前記第２の部分が前記第１の部分よりも薄く形成されており、
前記第２の部分によって生まれた空間に前記電気部品が配置されている
ことを特徴とするディスク装置。
【請求項２】
前記第１のヨークを取り付けるためのねじ代が前記筐体の内部に設けられており、
前記第１のヨークが、前記ディスクが配置された側の反対側から、ねじによって、前記筐体に取りつけられている
ことを特徴とする請求項１に記載のディスク装置。
【請求項３】
前記ねじの頭部を埋没させるための凹部が前記第２の部分に形成されており、
前記ねじの頭部を埋没させることにより生まれた空間に前記電気部品が配置されている
ことを特徴とする請求項２に記載のディスク装置。
【請求項４】
粘着部を有するシートを備え、
前記第１の部分が挿入される孔が前記シートに形成されており、
前記第１のヨークの縁と前記筐体との間に形成された隙間が前記シートで密閉されている
ことを特徴とする請求項１に記載のディスク装置。
【請求項５】
前記第１の部分が、前記第２の部分と別の部材で構成されており、前記第２の部分に取りつけられている
ことを特徴とする請求項１に記載のディスク装置。
【発明の詳細な説明】
【０００１】
【発明の属する技術分野】
本発明は、固定磁気ディスク装置等のディスク装置に関するものである。
【０００２】
【従来の技術】
以下に、従来のＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）タイプ２規格準拠の固定磁気ディスク装置の一例について、図１０から図１４を用いて説明する。図１０は従来の固定磁気ディスク装置の分解斜視図である。図１１は同装置の平面図である（トップカバーは図示せず）。図１２（Ｌ）は図１１のＬ−Ｌ断面を示す図であり、図１２（Ｍ）は図１１のＭ−Ｍ断面を示す図である。図１３は図１２（Ｌ）におけるＮ部の拡大図、図１４は図１２（Ｍ）におけるＯ部の拡大図である。これらの図において、同一部材は同一符号にて示す。図１５は、ＰＣＭＣＩＡ  タイプ２規格の装置の外形寸法を示す。
【０００３】
図１５において、ＰＣＭＣＩＡ  タイプ２規格の装置外形寸法は、図示のように、中心部よりも外周部が薄い構成となっている。そして、端部の厚さ３．３ｍｍ、長さ１０ｍｍの部分にインターフェイスコネクターが設けられるように構成されている。
【０００４】
図示の固定磁気ディスク装置は、可動部分が存在する機構部分と、この機構部分を制御する電気回路部分とにより構成される。機構部分は密閉空間を形成し、電気回路部分はこの密閉空間の外に配置される。図１０から図１４において、１は情報が記録再生される磁気ディスクであり、この磁気ディスク１はクランプ２によりスピンドルモータ３に取りつけられている。スピンドルモータ３は筐体４に取りつけられている。５はアクチュエータであり、このアクチュエータ５には、情報の記録再生を行う磁気ヘッド６とコイル７とが装着されている。このアクチュエータ５は、このアクチュエータ５に設けられた玉軸受け８を介して筐体４に取りつけられている。９は永久磁石であり、１０は上ヨークであり、１１は下ヨークである。これら永久磁石９、上ヨーク１０、下ヨーク１１により磁気回路を構成し、この磁気回路と、アクチュエータ５に備えられたコイル７とによってボイスコイルモータを構成している。下ヨーク１１は接着剤で筐体４へ取りつけられている。永久磁石９は上ヨーク１０に接着剤で取りつけられ、上ヨーク１０は永久磁石９が下ヨーク１１を引きつける力で筐体４に取りつけられている。１３はトップカバーで、その外周部に粘着部１２を備え、この粘着部１２により筐体４に貼りつけられて、その内部を密閉している。
【０００５】
このような従来の固定磁気ディスク装置は、装置が動作していないときに、磁気ヘッド６が磁気ディスク１の内周側の情報が記録されていない所に置かれる。装置が起動すると、スピンドルモータ３に取り付けられた磁気ディスク１が回転し、磁気ヘッド６は、回転する磁気ディスク１が発生する風力で、磁気ディスク１上を浮上する。そして装置が停止すると着地する。これをコンタクト  スタート  ストップ方式と呼ぶ。装置が動作しているときに、アクチュエータ５は、ボイスコイルモータの働きによりディスク上の情報の記録再生領域１８を移動して記録再生を行う。磁気ヘッド６の浮上量は数十ナノメータであり、その隙間にごみが侵入すると、磁気ディスク１に傷を付け、磁気ディスク１に記録された情報が失われる。これを防ぐため、装置内部の部品は清浄に洗浄され、装置は清浄な部屋で組み立てられる。また、装置内部の清浄性を保つため、装置は密閉構造になっている。磁気ディスク１、クランプ２、スピンドルモータ３、アクチュエータ５、永久磁石９、上ヨーク１０、下ヨーク１１は密閉構造内に配置されている。
【０００６】
１４はプリントサーキットボード（以下、「ＰＣＢ」と称する）であり、情報の記録再生やアクチュエータ５の位置決めを制御するためのＩＣ１５や、コンピュータ等から情報の入出力を行うためのインターフェイスコネクター１６などを備えている。ＰＣＢ１４はこれらの他、抵抗やコンデンサなども備えており、これによって電気回路を形成する。またＰＣＢ１４は、スピンドルモータ３、磁気ヘッド６、アクチュエータ５、ヨーク１０、１１を避けるように切り欠いた形状になっている。インターフェイスコネクター１６は、規格上、装置一端における長さ１０ｍｍ、厚さ３．３ｍｍの部分に位置し、ＰＣＢ１４は厚さ５ｍｍの部分に配置されている。ＩＣ１５は、小さなものがＰＣＢ１４における筐体４側の面に配置されるとともに、大きなものが筐体４と反対側の面に配置されている。このＰＣＢ１４は、密閉空間の外に配置されるとともに、図示のようにボトムカバー１７で覆われている。
【０００７】
【発明が解決しようとする課題】
しかしながら、従来の装置では、以下の問題点がある。
装置は、部品や組み立ての不具合により、組み立て後に市場に出す前に修理が必要なものが存在する。ところが装置の密閉構造は、上述のように粘着部１２を備えたトップカバー１３を筐体４に貼りつけることにより構成しており、装置の修理時にトップカバー１３を開るけと、トップカバー１３に変形を生じ、トップカバー１３を再利用することができない。すると、トップカバー１３は安価ではないので、装置の価格を上昇させるという問題がある。
【０００８】
また、装置は薄型であるので、筐体４の下面にねじ代を設けることができない。このため、下ヨーク１１は筐体４にねじではなく接着剤で固定されている。すると、下ヨーク１１の交換が必要になった時に下ヨーク１１のみの交換を行うことができず、筐体４、スピンドルモータ３も交換する必要がある。筐体４、スピンドルモータ３は安価ではないので、装置の価格を上昇させるという問題がある。
【０００９】
装置は、アクチュエータ５に充分なトルクを発生させるために、磁気回路を厚く形成している。そして、ＰＣＢ１４はこれらの厚い部品を避けて構成されている。一方、装置には耐衝撃性、情報の高記録密度化、低消費電力化が要求されている。これらの性能を満足するため、近年、装置の非動作時に磁気ヘッドを磁気ディスクの外側へ退避させる方式（ランプローディング方式）が採用されてきている。この方式は、装置の非動作時に磁気ヘッドを磁気ディスク上から退避させることにより、磁気ヘッドが磁気ディスクに傷をつけることを防ぎ、耐衝撃性を高くしたものである。また、磁気ヘッドは磁気ディスクに接触していないので吸着することがない。その結果、磁気ディスクにテクスチャーと呼ぶ面粗さを粗くしたものを設ける必要がないので、磁気ヘッドの浮上量を小さくでき、記録情報の高容量化が可能となる。また、起動時に磁気ヘッドの負荷がスピンドルモータにかからないので、消費電力を小さくすることができる。しかし、ランプローディング方式は磁気ヘッドを磁気ディスクの外側に退避させるため、アクチュエータの回動角が増加するという特徴がある。回動角が増加すると、必然的に、コイル、永久磁石、ヨークは大きくなる。
【００１０】
このため、従来例の装置にランプローディング方式を採用すると、ＰＣＢ１４を大きく切り欠く必要がある。その結果、ＩＣ１５を装着するための面積が減少し、ＩＣ１５を装着できなかったり、または電気回路の結線ができなくなったりする問題がある。反対に、ＰＣＢ１４の装着面積を確保すると、ランプローディング方式を採用できなかったり、またはボイスコイルモータが薄くなってアクチュエータ５に充分なトルクを発生させることができなくなったりする問題がある。
【００１１】
そこで本発明は、このような問題点を解決して、固定磁気ディスク装置等のディスク装置において、装置を安価に構成するとともに、薄型の装置においても、機構部と電気回路部を効率良く配置して、アクチュエータに充分なトルクを発生できるようにすることを目的とする。
【００１２】
【課題を解決するための手段】
この目的を達成するため本発明は、第１のヨークと、前記第１のヨークに所定の間隔をもって対向する第２のヨークと、前記第１のヨークと前記第２のヨークとの間に移動可能に巻かれたコイルと、前記第１のヨークに取りつけられることで前記コイルに磁界を加える永久磁石と、前記永久磁石が入る孔が形成された筐体と、前記筐体の内部に配置されたディスクと、前記ディスクに対して情報の記録再生を行う磁気ヘッドと、前記磁気ヘッドと前記コイルとが装着されたアクチュエータと、電気部品が装着されたプリントサーキットボードとを備え、前記第１のヨークが、前記筐体の外壁の一部を構成しており、前記永久磁石の中央部に相当する部分である第１の部分と、前記第１の部分以外の部分である第２の部分とを有しており、前記第２の部分が前記第１の部分よりも薄く形成されており、前記第２の部分によって生まれた空間に前記電気部品が配置されているものである。
【００１７】
したがって本発明によると、薄型のディスク装置においても、機構部と電気回路部を効率良く配置して、アクチュエータに充分なトルクを発生させることができる。
【００１８】
【発明の実施の形態】
つぎに、本発明の実施の形態について、図１から図９を用いて説明する。図１は本発明の実施の形態の固定式磁気ディスク装置の分解斜視図である。図２は同装置の平面図である（トップカバー、トップシートは図示せず）。図３（Ａ）は図２のＡ−Ａ断面を示す図、同図（Ｂ）は図２のＢ−Ｂ断面を示す図、図４は図２のＣ−Ｃ断面を示す図である。図５は図３（Ａ）におけるＤ部すなわちインターフェイスコネクター部の拡大図である。図６は図３（Ｂ）におけるＥ部すなわちボイスコイルモータ部の拡大図である。図７は図４におけるＦ部すなわち下ヨークのねじ取り付け部の拡大図である。これらの図において、同一部分は同一符号にて示す。
【００１９】
図示の固定式磁気ディスク装置には、可動部分が存在する機構部分と、この機構部分を制御する電気回路部分とがある。機構部分は密閉空間を形成し、電気回路部分は密閉空間の外に配置されている。図において、２１は情報が記録再生される磁気ディスクであり、この磁気ディスク２１はクランプ２２によりスピンドルモータ２３に取りつけられる。スピンドルモータ２３は筐体２４に取りつけられる。２５は、情報の記録再生をおこなう磁気ヘッド２６とコイル２７とが装着されたアクチュエータである。アクチュエータ２５には玉軸受け２８が備えられ、この玉軸受け２８を介して筐体２４に回転自在に取りつけられる。２９は永久磁石であり、３０は上ヨークであり、３１は下ヨークである。永久磁石２９は下ヨーク３１に接着剤で取りつけられ、下ヨーク３１は、後述のようにねじで筐体２４へ取りつけられる。上ヨーク３０は、永久磁石２９に引きつけられる力で筐体２４に取りつけられる。これら永久磁石２９、上ヨーク３０、下ヨーク３１により磁気回路を構成し、この磁気回路とアクチュエータ２５に備えられたコイル２７とによってボイスコイルモータを構成している。３８はランプであり、装置が動作しないときに磁気ヘッド２６をその上に退避させる。３３はトップカバーであり、ねじ（図示せず）で筐体２４に取りつけられる。３９は粘着部３２を備えたトップシートであり、このトップシート３９は、筐体２４とトップカバー３３との隙間を塞ぐことで、装置内部を密閉している。４０は粘着部３２を備えたボトムシートであり、筐体２４と下ヨーク３１との隙間を塞ぎ、装置内部を密閉している。磁気ディスク２１、クランプ２２、スピンドルモータ２３、アクチュエータ２５、永久磁石２９、上ヨーク３０、下ヨーク３１、ランプ３８は、密閉構造内に配置される。
【００２０】
３４はＰＣＢであり、情報の記録再生やアクチュエータの位置決めを制御するＩＣ３５と、コンピュータ等から情報の入出力を行うインターフェイスコネクター３６とを備えている。ＰＣＢ３４はこれらの他、抵抗やコンデンサなども備えており、電気回路を形成している。またＰＣＢ３４は、スピンドルモータ２３や、アクチュエータ２５に装着された玉軸受け２９を避けるための、二つの孔３４ａ、３４ｂが開いた形状となっている。このＰＣＢ３４は、密閉空間の外に配置される。またＰＣＢ３４は、図のようにボトムカバー３７で覆われている。
【００２１】
トップカバー３３は、周囲にふち３３ａがあり中央部が膨らんだ帽子形状をしている。また、トップカバー３３は筐体２４の平面積よりも小さくできており、筐体２４に取り付けると、このトップカバー３３のふち３３ａの表面と筐体２４の表面とが同一平面上に配置されて両者の間に隙間４２ができる。トップシ−ト３９は本発明の特徴とするものであり、中央部に孔３９ａが開いていおり、この孔３９ａにトップカバー３３の膨らんだ部分３３ｂを挿入する。そして、トップシート３９を、このトップシート３９に備えられた粘着部３２により、帽子のふち３３ａと筐体２４の上面とに貼りつけ、隙間４２を塞ぐことにより装置内部を密閉している。
【００２２】
装置の修理時には、トップシート３９をはがしトップカバー３３を開けて修理を行う。この時、トップシート３９のみをはがすことができるので、トップカバー３３を変形させることはない。そして、安価なトップシート３９のみを交換し、トップカバー３３は再利用することにより、装置の価格の上昇を抑制している。また、図に示すようにトップシ−ト３９の孔３９ａを貫通した状態で、トップカバー３３、クランプ２２、アクチュエータ２５、上ヨーク３０の一部を配置することができる。
【００２３】
ＰＣＭＣＩＡ  タイプ２規格の装置サイズすなわちその厚みは、外周部が３．３ｍｍと中央部の５ｍｍよりも薄くなっており、このサイズに１．８インチの大きさの磁気ディスクを装着すると、外周の薄い部分にシートを貼る必要がある。トップシート３９に孔３９ａが開いていないと、厚さ３．３ｍｍの部分で装置を構成する必要があり、機構部を大きく取れず、装置の性能を高くすることができない。
【００２４】
ＰＣＭＣＩＡ  タイプ２規格の装置は、その厚さが５ｍｍと薄いので、機構部品と電気部品とを効率良く配置することが重要である。近年、技術の進歩により、固定磁気ディスク装置を駆動するＩＣ３５は４個で構成できるようになった。この結果、ＩＣ３５、抵抗、コンデンサー等の電気回路を構成する部品は、ＰＣＭＣＩＡ  タイプ２規格の装置サイズでも、ＰＣＢ３４の片面に装着することが可能になった。しかし、ＰＣＢ３４を厚さ３．３ｍｍの部分にしか配置できなければ、ＩＣ３５をＰＣＢ３４上の筐体２４と反対側に片面装着することしかできず、たとえＰＣＢ３４上にＩＣ３５の隙間が存在したとしても、そこに機構部品を配置することはできない。ＰＣＢ３４上のＩＣ３５の装着面は、筐体２４の側とすることが望ましい。
【００２５】
そこで、本発明においては、インターフェイスコネクター３６は、本来の配置位置である長さ１０ｍｍの部分を超えた部分を有し、この部分におけるインターフェイスコネクター３６の両端部に、図1、図５に示すように厚さ５ｍｍの部分に入り込むつの３６ａを備え、このつの３６ａにより厚さ３．３ｍｍの部分よりも厚さ方向に沿った下側の部分にＰＣＢ３４を配置することを可能にしている。その結果、ＰＣＢ３４におけるＩＣ３５の装着面を筐体２４側の片面のみとし、ＩＣ３５どうしの間の部分に機構部品を配置することを可能としている。
【００２６】
これにより、装置の耐衝撃性の向上、情報の高記録密度化、低消費電力化のために近年において採用されているランプローディング方式を採用しても、ボイスコイルモータを厚くすることができ、アクチュエータ２５に充分なトルクを発生させることが可能になる。
【００２７】
インターフェイスコネクター３６において、ＰＣＢ３４との接続部は、寸法上、細長いつの３６ａの形態にしかすることができず、剛性が低い。そこで、インターフェイスコネクター３６は、筐体２４へねじで固定するための接続部３６ｂをこのインターフェイスコネクター３６の両端部に設け、この接続部３６ｂを使って筐体２４へねじ固定されている。その結果、インターフェイスコネクター３６に衝撃が加わっても、このインターフェイスコネクター３６の電気的接続部がはずれることを防止している。
【００２８】
筐体２４には、図に示すように、永久磁石２９が入る孔２４ａが形成されており、下ヨーク３１は、この筐体２４の裏側から、筐体２４にねじで固定される。このように筐体２４に孔２４ａを開け、筐体２４の下面の壁部の代わりに下ヨーク３１を設けることで、磁気回路部を厚く形成できることになり、アクチュエータ２５に発生するトルクを大きくすることができる。また、ねじ代を設けたボス２４ｂを筐体２４の内部に設け、このねじ代を設けたボス２４ｂを利用して下ヨーク３１を筐体２４の裏側から筐体２４に取り付けることにより、ＰＣＢ３４におけるＩＣ３５の装着面積を減少させることなく、ねじによる締結を行うことができる。
【００２９】
もし筐体２４の表側からねじで締結すると、筐体２４の下部にねじ代を設ける必要がある。しかし、筐体２４の底面は非常に薄いので、その場合には筐体２４の下部よりも下側にボスを設けることが必要となる。そして、この下側のボスにより、ＰＣＢ３４におけるＩＣ３５の装着面積が減少することになる。
【００３０】
また、上記の構成によれば、下ヨーク３１はねじで固定されているので、この下ヨーク３１の交換の必要が発生した時は、ねじをはずすことにより、筐体２４やスピンドルモータ２３を交換することなく、下ヨーク３１のみを交換することができる。また、下ヨーク３１は、筐体２４の裏側から取りつけられるので、アクチュエータ２５を取り外すことなく、下ヨーク３１のみを交換することができるという利点もある。
【００３１】
図８に下ヨーク３１をＰＣＢ３４側から見た図を示す。この下ヨーク３１は、ねじ頭を埋没させるための凹部３１ａを持つ。その結果、ねじ頭は下ヨーク３１の下面よりも低くならず、図７に示すようにねじ頭の下側におけるＰＣＢ３４の上にＩＣ３５を装着することができる。また、下ヨーク３１は、永久磁石のＮ極とＳ極の間およびその近傍では厚く、かつそれ以外の部分ではその厚さが薄くなっている。図９は磁気回路のなかの磁束の流れを示す。図示のように、磁束４１は永久磁石のＮ極とＳ極の間（磁石中央部）ほどたくさん流れる。ゆえに、下ヨーク３１の厚さは、均一である必要はなく、磁石中央部以外は薄くても良い。本発明においては、下ヨーク３１は、永久磁石２９の中央部に相当する部分３１ｂ以外の部分は薄いので、たとえば図７に示すように、それよりも下側におけるＰＣＢ３４の上にＩＣ３５を装着することができる。下ヨーク３１は、単一の部品にて構成してもよいし、複数の部品にて構成してもかまわない。すなわち下ヨーク３１における永久磁石２９の中央部に相当する部分３１ｂは、他の部分と別体で構成されて、この他の部分に取りつけられていても構わない。その結果、ＩＣ３５の装着面積を減少することなく、アクチュエータ２５に大きなトルクを発生させることができる。
【００３２】
本発明の装置では、筐体２４の下面に孔２４ａを開けているが、その装置の内部は先に説明したように密閉構造である必要がある。そこで、筐体２４の下面と下ヨーク３１との隙間４３を、粘着部を備えたボトムシート４０で密閉している。このボトムシート４０の中央部には孔４０ａが開いている。この孔４０ａに先ほど説明した下ヨーク３１における中央の厚くなった部分３１ｂを挿入する。その結果、密閉構造を取りながら、ＩＣ３５を装着する面積を減少することなく、アクチュエータ２５に大きなトルクを発生することを可能としている。
【００３３】
このように、本発明のディスク装置では、機構部と電気回路部とを効率良く配置することが可能で、ボイスコイルモータのトルクの向上、耐衝撃性、情報の高記録密度化、低消費電力化のためのランプローディング方式の採用を可能にしている。
【００３４】
【発明の効果】
以上のように本発明の磁気ディスク装置によれば、カバーの縁と筐体との間に隙間が形成され、この隙間が粘着部を備えたシートで塞がれているようにしたため、装置の修理時には粘着部付きの安価なシートのみを交換すれば足りる。
【００３５】
また本発明によれば、シートには孔が開いており、この孔に機構部品などのディスク装置の構成部材が配置されているようにしたため、この機構部品ディスク装置の構成部材を大きくとることができて、装置の性能を高くすることができる。
【００３６】
また、本発明の固定磁気ディスク装置によれば、インターフェイスコネクターに、ディスク装置の厚い中央部に到達するように突出状態で形成された、つの状の、ＰＣＢとの接続部が設けられているようにしたため、装置における厚さ３．３ｍｍの部分よりも下側にＰＣＢを配置することができる。その結果、ＰＣＢ上のＩＣ装着面を筐体側として、ＩＣどうしの間に機構部品などのディスク装置の構成部材を配置することができる。また、装置の耐衝撃性の向上、低消費電力化、高記録密度化のために近年において採用されているランプローディング方式を採用しても、ＰＣＢの装着面積を減少させることなく、ボイスコイルモータを厚くすることができ、アクチュエータに充分なトルクを発生させることができる。
【００３７】
また本発明によれば、インターフェイスコネクターとＰＣＢとの接続部は剛性が低いので、このインターフェイスコネクターを筐体へねじで固定するための接続部を設けている。その結果、インターフェイスコネクターに衝撃が加わっても、このインターフェイスコネクターの電気的接続部がはずれることを防止できる。
【００３８】
また、本発明の磁気ディスク装置によれば、筐体には永久磁石が入る孔が開いており、また、この筐体の壁部の代わりにヨークを設けている。これにより、磁気回路部を厚くすることができ、アクチュエータに発生するトルクを大きくすることができる。
【００３９】
また本発明によれば、筐体内部にねじ代を備えたボスを設け、ヨークは筐体の裏側から筐体にねじで固定されるように構成されている。その結果、ＰＣＢのＩＣ装着面積を減少させることなく、ねじで締結することができる。ねじ締結により、ヨークのみを交換することができる。
【００４０】
また、本発明の磁気ディスク装置によれば、ヨークにねじ頭を埋没させるための凹部を持つ。その結果、ねじ頭が張り出さないので、それに対応する位置のＰＣＢ上にＩＣを装着することができる。
【００４１】
また本発明によれば、永久磁石の中央部に相当する部分近傍以外のヨークの部分を薄く形成することができる。このため、それに対応する位置のＰＣＢ上にＩＣを装着することができる。その結果、ＩＣの装着面積を減少することなく、アクチュエータに大きなトルクを発生することができる。
【００４２】
さらに、本発明の固定磁気ディスク装置によれば、下ヨークと筐体との隙間を、粘着部を備えたシートで塞ぐことにより装置内部を密閉することができる。このシートは中央部に孔が開いている。この孔にヨークの厚くなった部分を挿入する。その結果、密閉構造を取りながら、ＩＣ装着面積を減少することなく、アクチュエータに大きなトルクを発生させることができる。
【図面の簡単な説明】
【図１】本発明の実施の形態のディスク装置を示す分解斜視図である。
【図２】図１のディスク装置の平面図である。
【図３】図２のディスク装置の断面図である。
【図４】図２のディスク装置の断面図である。
【図５】図３（Ａ）におけるＤ部の拡大図である。
【図６】図３（Ｂ）におけるＥ部の拡大図である。
【図７】図４におけるＦ部の拡大図である。
【図８】図１における下ヨークをＰＣＢ側から見た斜視図である。
【図９】図１のディスク装置における磁気回路の磁束の流れを示す模式図である。
【図１０】従来のディスク装置の分解斜視図である。
【図１１】図１０のディスク装置の平面図である。
【図１２】図１１のディスク装置の断面図である。
【図１３】図１２におけるＮ部の拡大図である。
【図１４】図１２におけるＯ部の拡大図である。
【図１５】ＰＣＭＣＩＡ  タイプ２規格の装置サイズを示す図である。
【符号の説明】
２１    磁気ディスク
２４    筐体
２５    アクチュエータ
３１    下ヨーク
３２    粘着部
３３    トップカバー
３４    ＰＣＢ
３６    インターフェイスコネクター
３９    トップシート
３９ａ  孔
４２    隙間
【図１】
0004678917.tif 000002
【図２】
0004678917.tif 000003
【図３】
0004678917.tif 000004
【図４】
0004678917.tif 000005
【図５】
0004678917.tif 000006
【図６】
0004678917.tif 000007
【図７】
0004678917.tif 000008
【図８】
0004678917.tif 000009
【図９】
0004678917.tif 000010
【図１０】
0004678917.tif 000011
【図１１】
0004678917.tif 000012
【図１２】
0004678917.tif 000013
【図１３】
0004678917.tif 000014
【図１４】
0004678917.tif 000015
【図１５】
0004678917.tif 000016